(57)【要約】【課題】長尺の部品を使用する必要がなく、作業性、運搬や保管が容易で、スラブ上に設置しても雨漏りの恐れもない太陽光利用パネルの設置用ブロック及び設置構造を提供する。【解決手段】屋上等に敷設され、太陽光利用パネルを列設可能なブロック１Ａであって、前記ブロック１Ａは、平板部２と、前側の太陽光利用パネルの上部枠を固定するための上側固定部３ａと、該上側固定部よりも下方に設けられ後側の太陽光利用パネルの下部枠を固定するための下側固定部３ｂからなり、平板部２の端縁には切欠き部２ａが設けられ、該切欠き部２ａは隣接するブロックの切欠き部と合わせて連結具を挿通するための孔を形成するように設けられていることを特徴とする太陽光利用パネルの設置用ブロック１Ａ及びこの設置用ブロックを用いた設置構造１Ｂである。【選択図】図１
2012001991.tif 000002
【特許請求の範囲】
【請求項１】
屋上等に敷設され、太陽光利用パネルを列設可能なブロックであって、
前記ブロックは、平板部と、前側の太陽光利用パネルの上部枠を固定するための上側固定部と、該上側固定部よりも下位に設けられ後側の太陽光利用パネルの下部枠を固定するための下側固定部からなり、
前記平板部の端縁には切欠き部が設けられ、該切欠き部は隣接するブロックの切欠き部と合わせて連結具で連結するように設けられていることを特徴とする太陽光利用パネルの設置用ブロック。
【請求項２】
コンクリート製であることを特徴とする請求項１に記載の太陽光利用パネルの設置用ブロック。
【請求項３】
繊維混入プレス成形セメントモルタル製であることを特徴とする請求項１又は２に記載の太陽光利用パネルの設置用ブロック。
【請求項４】
裏面に断熱材層が設けられていることを特徴とする請求項１乃至３のいずれかに記載の太陽光利用パネルの設置用ブロック。
【請求項５】
請求項１乃至４のいずれかに記載のブロックの上側固定部及び／又は下側固定部に、太陽光利用パネルを固定するための固定具が設けられていることを特徴とする太陽光利用パネルの設置用ブロック。
【請求項６】
固定具は上部枠又は下部枠を掛止するための鉤部材と、鉤部材を前後に摺動可能とするための軌道部材と、前記鉤部材と軌道部材を一体化させるための締結部材からなることを特徴とする請求項５に記載の太陽光利用パネルの設置用ブロック。
【請求項７】
請求項１乃至６のいずれかに記載の設置用ブロックとその前側及び／又は後側に配置された太陽光利用パネルからなる太陽光利用パネルの設置構造であって、
前記設置用ブロックの下側固定部に後側の太陽光利用パネルの下部枠が固定されており、
前記設置用ブロックの上側固定部に前側の太陽光利用パネルの上部枠が固定され、
前記設置用ブロックの切欠き部が隣接するブロックの切欠き部と合わせて連結具で連結されていることを特徴とする太陽光利用パネルの設置構造。
【請求項８】
太陽光利用パネルが少なくとも４隅付近で設置用ブロックに固定されていることを特徴とする請求項７に記載の太陽光利用パネルの設置構造。
【請求項９】
太陽光利用パネルの側面に防風板が設けられることを特徴とする請求項７又は８に記載の太陽光利用パネルの設置構造。
【発明の詳細な説明】
【技術分野】
【０００１】
本発明は太陽光利用パネルの設置用ブロック及び設置構造に関し、更に詳しくは、特に陸屋根、鉄筋コンクリート製建築物の屋上などに敷き詰めるブロックであって、太陽光利用パネルを容易且つ強固に取り付けることができ、雨漏り等の心配がない太陽光利用パネルの設置用ブロック及び該ブロックを用いた設置構造に関するものである。
【背景技術】
【０００２】
近年、化石燃料コストの上昇や世界的な環境意識の高揚により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上等に設置されている（これらのパネル状のユニットを総称して太陽光利用パネルと称する）。
【０００３】
このような太陽光利用パネルは、従来、山形の屋根の南側の斜面に設置されることが多いため、斜面に適するような太陽光利用パネル及びその取り付け構造については多数商品化され、低コスト化も進んでいる。
一方、最近になって、二酸化炭素排出量の削減等のため、太陽光の利用が益々推奨されるようになり、水平状面、特に陸屋根への太陽光利用パネルの設置も徐々に多くなっている。しかしながら、陸屋根に特に適する太陽光利用パネルの需要はそれほど多くないため、陸屋根に太陽光利用パネルを設置する技術はあまり報告されておらず、また低コスト化も進んでいないのが実情である。
【０００４】
例えば、従来から陸屋根等に太陽光利用パネルを設置するための構造としては、断面形状が直角三角形状の架台を設けて斜面を作り、山形の屋根に取り付ける場合と同様、この斜面上に太陽光利用パネルを取り付ける支持構造が用いられてきた。
また、他の方法としては、太陽電池パネルの下端側を支持する下端側支持部材と、太陽電池パネルの上端側を下端側よりも高い位置に支持する上端側支持部材とを備え、複数本のレール部材上に前記下端側支持部材と前記上端側支持部材とが支持されてなる支持構造が提案されている（特許文献１参照）。
【先行技術文献】
【特許文献】
【０００５】
【特許文献１】特開２００１−１５２６１９号公報
【発明の概要】
【発明が解決しようとする課題】
【０００６】
断面形状が直角三角形状の架台を用いる方法では太陽光利用パネルの高さが高くなりすぎ、大きな風圧が加わるので、その対策として、架台が設置される基盤をボルトでスラブと接続する等の補強が必要になる。しかしながら、通常の場合、スラブの上には防水シートが敷設されているので、ボルト等をスラブに打ち込めば防水シートを貫くことになり、雨漏りの原因となる。その上、架台にも風圧に耐えるだけの剛性を有する部材や補強材が必要になり、コストも高くなる。
【０００７】
引用文献１に記載の構造を用いる場合は、下端側支持部材、上端側支持部材、及びこれらを支持するレール部材が全て長尺物であり、大きく且つ重すぎて当該長尺物の保存、運搬等に困難が伴う。また、この支持構造を組み立てるには、各レール部材の間や、上端支持部材と下端指示部材の間の距離を太陽光利用パネルの大きさにあわせて、正確に測定してから各部材を固定する必要が生じるため、組立作業も煩雑となり作業性も低下する。さらに、上記した架台を用いる例と同様、置き基礎を固定するためにボルトでスラブに接続する等の補強が必要になる場合があるが、やはり雨漏りの原因となる。
【０００８】
本発明は、かかる実情に鑑み鋭意研究の結果、陸屋上等に敷設するブロックに直接太陽光利用パネルを取り付けるための固定部を設ければ、上記従来技術の問題点が解決され、コンパクトで保存や運搬のためのスペースや労力や費用が少なくて済み、施工が容易で作業性が良好であり、雨漏りの恐れもないことを見出し、本発明を完成した。
【課題を解決するための手段】
【０００９】
上記課題を解決するための本発明の特徴の第１は、屋上等に敷設され、太陽光利用パネルを列設可能なブロックであって、前記ブロックは、平板部と、前側の太陽光利用パネルの上部枠を固定するための上側固定部と、該上側固定部よりも下位に設けられ後側の太陽光利用パネルの下部枠を固定するための下側固定部からなり、前記平板部の端縁には切欠き部が設けられ、該切欠き部は隣接するブロックの切欠き部と合わせて連結具で連結するように設けられている太陽光利用パネルの設置用ブロックを内容とする。
【００１０】
本発明の特徴の第２は、コンクリート製である上記の太陽光利用パネルの設置用ブロックを内容とする。
【００１１】
本発明の特徴の第３は、繊維混入プレス成形セメントモルタル製である上記の太陽光利用パネルの設置用ブロックを内容とする。
【００１２】
本発明の特徴の第４は、裏面に断熱材層が設けられている上記の太陽光利用パネルの設置用ブロックを内容とする。
【００１３】
本発明の特徴の第５は、上記ブロックの上側固定部及び／又は下側固定部に、太陽光利用パネルを固定するための固定具が設けられている太陽光利用パネルの設置用ブロックを内容とする。
【００１４】
本発明の特徴の第６は、固定具は上部枠又は下部枠を掛止するための鉤部材と、鉤部材を前後に摺動可能とするための軌道部材と、前記鉤部材と軌道部材を一体化させるための締結部材からなる上記の太陽光利用パネルの設置用ブロックを内容とする。
【００１５】
本発明の特徴の第７は、上記の設置用ブロックとその前側及び／又は後側に配置された太陽光利用パネルからなる太陽光利用パネルの設置構造であって、前記設置用ブロックの下側固定部に後側の太陽光利用パネルの下部枠が固定されており、前記設置用ブロックの上側固定部に前側の太陽光利用パネルの上部枠が固定され、前記設置用ブロックの切欠き部が隣接するブロックの切欠き部と合わせて連結具で連結されている太陽光利用パネルの設置構造を内容とする。
【００１６】
本発明の特徴の第８は、太陽光利用パネルが少なくとも４隅付近で設置用ブロックに固定されている上記の太陽光利用パネルの設置構造を内容とする。
【００１７】
本発明の特徴の第９は、太陽光利用パネルの側面に防風板が設けられる上記の太陽光利用パネルの設置構造を内容とする。
【発明の効果】
【００１８】
本発明の太陽光利用パネルの設置用ブロック（以後、設置用ブロック、又は単にブロックと称することがある）は、平板部と、太陽光利用パネルの上部枠を固定するための上側固定部と、該上側固定部よりも下方に設けられ後側の太陽光利用パネルの下部枠を固定するための下側固定部からなるので、該設置用ブロックを敷設するだけで太陽光利用パネルを設置できる状態となり、別途太陽光利用パネルを設置するための設備を設ける必要がない。
【００１９】
また、下側固定部は該上側固定部よりも下位、即ち、低い位置に設けられているので、設置用ブロックの下側固定部に後側の太陽光利用パネルの下部枠が固定され、上側固定部に前側の太陽光利用パネルの上部枠が固定されると、太陽光利用パネルは山形の屋根に取り付けられた場合と同様の傾斜状となり、太陽光を効率良く受光することができる。
また、設置用ブロックと太陽光利用パネルとの隙間が小さいため風が入り込みにくく、太陽光利用パネルが風で舞い上がるといったトラブルも抑えられる。
【００２０】
更にまた、本発明の設置用ブロックの端縁には切欠き部が設けられ、該切欠き部は隣接するブロックの切欠き部と合わせて連結具で連結するように形成されているので、この切欠き部に連結具を取り付けると隣接するブロック同士が連結されて一枚の重量が大きいパネルのようになる。従って、風に対しても太陽光利用パネルは一枚のパネルのように連結されたブロック群の重みで十分に押さえ付けられ、従って、スラブにボルトなどで固定する必要がないので、雨漏りが生じる恐れがない。
【００２１】
本発明の設置用ブロックをコンクリート製、特に繊維混入プレス成形セメントモルタル製とすれば、ブロックとして十分な強度及び寸法精度、ひび割れ防止性能を有するばかりでなく、成形も容易である。
【００２２】
太陽光利用パネルの裏面に断熱材層を設けることにより、単に太陽光を利用して石油エネルギー等の代替とできるだけでなく、外断熱の効果を得ることが可能である。
【００２３】
ブロックの上側固定部及び／又は下側固定部に、更に太陽光利用パネルを固定するための固定具を設けることにより太陽光利用パネルのサイズや形状に関わらず設置することができるので、施工性及び汎用性が増す。
また、固定具を鉤部材と、軌道部材と、締結部材から形成すると、鉤部材を軌道部材上で摺動させることにより位置の調整ができるので、施工性がさらに向上する。
【００２４】
設置用ブロックの下側固定部に後側の太陽光利用パネルの下部枠を固定されるとともに、設置用ブロックの上側固定部に前側の太陽光利用パネルの上部枠を固定された、本発明の太陽光利用パネルの設置構造によれば、太陽光利用パネルは適切な斜面状に設置され太陽光を効率的に受光できるとともに、前後の太陽光利用パネルの間隔も適切に設定されるので、後側の太陽光利用パネルが前側の太陽光利用パネルの影に入るようなこともなく、受光効率やメンテナンス性に優れている。この際、太陽光利用パネルを少なくとも４隅付近で固定すれば、安定性が増す。
【００２５】
太陽光利用パネルの側面に防風板を設けると、太陽光利用パネルの下に風が入り込まず、太陽光利用パネルが横風で舞い上がるといったトラブルを防ぐことができるとともに、埃やゴミの侵入を防ぐことができる。
【図面の簡単な説明】
【００２６】
【図１】図１は本発明の太陽光利用パネルの設置用ブロックの一例を示し、（ａ）は正面図であり、（ｂ）は側面図（左）である。
【図２】図２は図１の上面図である。
【図３】図３は本発明の太陽光利用パネルの設置用ブロックの別の例を示す上面図である。
【図４】図４は本発明の設置用ブロックを従来のブロックとともに敷設した例を示す平面図である。
【図５】図５は連結具を用いて設置用ブロックを連結する方法の一例を示す断面図である。
【図６】図６はは本発明の設置用ブロックを用いて太陽光利用パネルを設置した状態を示す概略図である
【図７】図７は裏面に断熱材層が設けられた設置用ブロックを示す正面図である。
【図８】図８は図１の設置用ブロックの上側／下側固定部に取り付ける固定具の一例を示し、（ａ）はその上面図であり、（ｂ）は正面図であり、（ｃ）は側面図（右）である。
【図９】図９（ａ）は図８（ａ）におけるＡ−Ａ断面図であり、（ｂ）はＢ−Ｂ断面図である。
【図１０】図１０は図９の固定具で太陽光利用パネルを固定した状態を示す概略図である。
【図１１】図１１は本発明の設置用ブロックを用いて太陽光利用パネルを設置した状態を示す概略図であり、（ａ）は太陽光利用パネルが比較的小さい場合を示し、（ｂ）は比較的大きな場合を示す。
【図１２】図１２は設置用ブロック及び太陽光利用パネルの配置の一例を示す上面図である。
【図１３】図１３は本発明の太陽光利用パネルの設置構造の他の例を示す概略図である。
【図１４】図１４は図１３の太陽光利用パネルの設置構造の上面図である。
【発明を実施するための形態】
【００２７】
本発明の太陽光利用パネルの設置用ブロック１Ａは、屋上等に敷設され、太陽光利用パネルを列設可能なブロックであって、図１、図２に例示するように、平板部２と、前側の太陽光利用パネル７の上部枠７ａを固定するための上側固定部３ａと、後側の太陽光利用パネル７の下部枠７ｂを固定するための下側固定部３ｂからなり、下側固定部３ｂは上側固定部３ａよりも下位に、即ち、低い位置に設けられており、平板部２の端縁に切欠き部２ａが設けられ、該切欠き部２ａは隣接するブロックの切欠き部と合わせて連結具で連結するように設けられていることを特徴とする。
【００２８】
また、本発明の太陽光利用パネルの設置構造１Ｂは、図１１、図１２に例示するように、上記の設置用ブロック１Ａとその前側及び／又は後側に配置された太陽光利用パネル７からなる太陽光利用パネルの設置構造１Ｂであって、設置用ブロックの下側固定部３ｂに後側の太陽光利用パネルの下部枠７ｂが固定されており、設置用ブロックの上側固定部３ａに前側の太陽光利用パネルの上部枠７ａが固定されており、前記設置用ブロックの切欠き部が隣接するブロックの切欠き部と合わせて連結具Ｃで連結されていることを特徴とする。
【００２９】
なお、本発明において前側とは、傾斜して設置された太陽光利用パネルの低い側が位置する方向を指し、後側とはその反対側の高い側が位置する方向を指す。
【００３０】
本発明において、太陽光利用パネルの設置用ブロック１Ａは、平板部２と上側固定部３ａと下側固定部３ｂからなる。
平板部２はスラブＳなどにブロック１Ａを敷設した際、隣接するブロック１Ａと面一になる部分であり、ブロック１Ａ同士を隣接させることにより隙間なく敷設することができる。
図３に示すように、ブロック１Ａの周囲全体を平板部２とすれば、本発明の設置用ブロック１Ａの隣に通常のブロックを敷設した場合でも、これらのブロック１Ａの間に隙間ができないため好ましい。
【００３１】
平板部２の端縁には切欠き部２ａが設けられる。切欠き部２ａの位置は平板部２の端縁のいずれでもよく、図１、図２に示したブロックでは４隅に切欠き部２ａが設けられている。この場合、図４に示すように、この切欠き部２ａはブロック１Ａを縦横に並べたときに隣接する４個のブロックの各切欠き部２ａと合わさって１個の孔状になるが、図５に示すように、本発明では切欠き部２ａが合わさって形成された孔２ｂに連結具Ｃを挿通することにより、隣接するブロック１Ａ同士を連結することができる。尚、隣接するブロックが２個の場合は半円状、３個の場合は３／４円状となるが、連結具Ｃで連結される。
図３に示したように、ブロック１Ａの各辺の中央あたりに略半円状の切欠き部２ａを設けてもよいが、この場合は１個の連結具Ｃで２個のブロック１Ａを連結するのに対し、図１、図２のように、切欠き部２ａは四隅に設ければ、１個の連結具Ｃで４個のブロック１Ａを一挙に連結することができるので、作業性が良く、強固に連結できるので好ましい。
【００３２】
本発明における連結具Ｃは、複数個のブロック１Ａの切欠き部２ａを合わせて挟持、連結する機能を有する限り特に限定されないが、さらに高さ調節機能が付加された（任意の高さでブロック１Ａを連結できる）連結具が好ましい。
即ち、例えば、この種のブロックが敷設されるスラブＳには防水シートが敷設され、排水その他の機能のために凹凸や傾斜が設けられているので、ブロック１Ａを一定のレベルに敷設するためには、それぞれのブロック１ＡをスラブＳの凹凸や傾斜に合わせて高さを調整する必要がある。
【００３３】
このような高さ調節機能を有する固定具Ｃとしては、図５に示したような、支柱部材Ｃ１、支持部材Ｃ２、押さえ部材Ｃ３からなるものが例示できる。支柱部材Ｃ１は底板部と中央に立設され、周囲に雄ねじが螺設された棒状体とからなる逆Ｔ字状からなり、支持部材Ｃ２及び押さえ部材Ｃ３は前記雄ねじと螺合する雌ねじが内部に刻設された円盤状体である。この固定具Ｃを用いてブロック１Ａ、１Ａを連結するには、まず所定の位置に支柱部材Ｃ１を立設し、この支柱部材Ｃ１と支持部材Ｃ２を螺合する。この支持部材Ｃ２は支柱部材Ｃ１上の任意の場所で静止させることができるので、スラブＳ上に置かれた全ての固定具Ｃの支持部材Ｃ２が同じ高さになるように調節することができる。次に、支持部材Ｃ２の上にブロック１Ａを載置する。なお、ブロック１Ａを載置する際、切欠き部２ａを支柱部材Ｃ１と合わせる様にする。最後に、押さえ部材Ｃ３を支柱部材Ｃ１と螺合し、支持部材Ｃ２と押さえ部材Ｃ３とでブロック１Ａを締め付けるようにすれば、全てのブロック１Ａを同じ高さに連結できる。
【００３４】
本発明において、上側固定部３ａ及び下側固定部３ｂは太陽光利用パネルの上部枠７ａ及び下部枠７ｂを固定するための部分であり、上部／下部枠７ａ、７ｂを上側／下側固定部３ａ、３ｂに直接固定できるようにしてもよいし、後述の固定具５等を用いて固定できるようにしてもよい。
図１、図２に示した例では、設置用ブロック１Ａの前側に小高い平面部を設け、ここに固定具取付用の小孔３ｃを穿設して上側固定部３ａとし、同様に設置用ブロック１Ａの後側に低い平面部を設け、ここにも固定具取付用の小孔３ｃを穿設して、下側固定部３ｂとしている。下側固定部３ｂは上側固定部３ａより下位に、即ち、低い位置に設けられる。
【００３５】
上側／下側固定部３ａ、３ｂは設置される太陽光利用パネル７の傾斜角と実質的に平行になるような傾斜を付けられた平面状とすれば、上側／下側固定部３ａ、３ｂ（又は後述の固定具５）と太陽光利用パネル７が密着し、安定性が増すので好ましい。
なお、本発明の設置用ブロック１Ａは、図６に示したように、太陽光利用パネル７の前後を支える様に配置され、その中間部分には通常のブロックＯが配置されるが、本発明の設置用ブロック１Ａの間に入る通常のブロックＯの数により太陽光利用パネルの傾斜角が変化する。例えば、上側固定部３ａと下側固定部３ｂの高低差を８ｃｍ、ブロック１Ａを一辺５０ｃｍの正方形とすれば本発明の設置用ブロック１Ａの間に通常のブロックＯを一枚配置した場合、太陽光利用パネル７の傾斜角度は約９°、二枚配置した場合は同じく約６°となる。
上記の例で説明すれば、太陽光利用パネル７の安定性を重視する場合は上側／下側固定部３ａ、３ｂの傾斜角度を双方とも約９°（又は約６°）として、設置用ブロック１Ａの間に配置する通常のブロックＯの枚数を一枚（又は二枚）と定めておけばよい。また、汎用性を重視する場合、上側固定部３ａの傾斜角度を大きく（上記の例では約９°）、下側固定部３ｂの傾斜角度を小さく（上記の例では約６°）すればよい。このようにすれば設置用ブロック１Ａの間に配置する通常のブロックＯの枚数に関わらず、好適に太陽光利用パネル７を設置できる。
【００３６】
設置用ブロック１Ａの材質は、太陽光利用パネル７を支持できる程度の強度があれば特に限定されないが、風に煽られた際の重しになる程度の重量がある材料が好ましく、さらにはコスト及び成型のし易さの点からコンクリート製が好ましく、その中でも特に強度及び寸法精度、ひび割れ防止性能に優れている点で繊維混合プレス成型セメントモルタル製が好ましい。
【００３７】
本発明の設置用ブロック１Ａの形状は、上記平板部２と上側固定部３ａと下側固定部３ｂが含まれる限りどんな形状でもよいが、好ましい一例として、具体的には図１、図２に示したような、前側の平板部２と、急傾斜板状の立上げ部４ａと、緩傾斜平板状の上側固定部３ａと、急傾斜板状の第１斜降部４ｂと、緩斜面平板状の下側固定部３ｂと、急斜面板状で第１斜降部よりも低い第２斜降部４ｃと、後側の平板部２とを一体的に設けた形状が例示できる。
【００３８】
本発明の設置用ブロック１Ａの裏面には、例えば図７に示したように、断熱材層６を設けるのが好ましい。裏面に断熱材層６を設けることにより、単に太陽光を利用して石油エネルギー等の代替にできるだけでなく、スラブ等の上に敷設する場合は外断熱の効果を得ることができる。この場合は、他のブロックとしても断熱材を有するブロックが用いられる。
本発明で使用する断熱材としては、軽量化の点で発泡樹脂板が好ましいが、他の材料であってもよい。発泡樹脂板の場合、樹脂としてはポリスチレン、ポリプロピレン、ポリエチレン、ポリウレタン等が例として挙げられる。また、ポリ乳酸樹脂、ポリブチレンサクシネート、ポリアミド１１、ポリヒドロキシ酪酸等の生分解性プラスチック、バイオマスプラスチック等が使用可能である。
生分解性プラスチックを用いた場合は、化石資源の使用を減少させ、特に、バイオマスプラスチックは植物由来の素材からなるので焼却処分しても植物が固定したＣＯ2 が排出されるだけであるので、ＣＯ2 排出量が増えないカーボンニュートラルが達成され、環境に優しく地球温暖化防止に寄与し、低炭素社会の実現に貢献する利点がある。
【００３９】
本発明の設置用ブロック１Ａは、上側固定部３ａ及び／又は下側固定部３ｂに太陽光利用パネル７を固定するための固定具５を設けることにより、太陽光利用パネル７のサイズや形状に関わらず固定でき、施工性及び汎用性が向上するので好ましい。
更に、固定具５を設ける他の利点としては、例えば、繊維混入プレス成形セメントモルタルを設置用ブロック１Ａの材料とする場合、上側固定部３ａと下側固定部３ｂの高低差が大きなブロック１Ａを製造するには上側固定部３ａの部分が深絞りとなり、セメントやモルタルが型内に十分充填されない等の問題を生じる場合があるが、背が高い固定具５を上側固定部３ａに装着し、背の低い固定具５を下側固定部３ｂに装着すれば、固定具５の高さの分だけ上側固定部３ａの高さを低くでき、その結果、深絞りとする必要がなくなるので上記問題を解消することができる。
【００４０】
固定具５の形状、構造は、上側／下側固定部３ａ、３ｂの上に装着可能で、太陽光利用パネル７を固定できるものであれば特に限定されず、例えば種々の太陽光利用パネル７、７における係合突起７ｃの形状や大きさに合わせて専用の固定具５をそれぞれ用意し、必要に応じて最適な固定具５に付け替えてもよいが、図８及び図９に示したような、鉤部材５ａと、軌道部材５ｂと、締結部材５ｃからなるものが汎用性の点で好ましい。
【００４１】
図８及び図９に示す固定具５において、鉤部材５ａは太陽光利用パネルの端部に通常設けられている係合突起７ｃに係合されて、上部／下部枠７ａ、７ｂを掛止する部材である（図１０参照）。鉤部材５ａの形状は、太陽光利用パネルの上部／下部枠７ａ、７ｂを掛止可能な形状であれば特に限定されないが、図示した例においては、中央に後述の締結部材５ｃとして使用するボルトの軸が挿通可能な孔が穿設された平板部分と、その端縁に設けられ前記係合突起７ｃと係合可能な鉤部分からなるものが使用されている。
【００４２】
軌道部材５ｂは鉤部材５ａと未締結状態の締結部材５ｃを一定軌道に沿って摺動させるための部材である。これにより、設置用ブロック１Ａの敷設周期と太陽光利用パネル７の設置周期が少々違ったとしても、鉤部材５ａを摺動させることにより固定する位置を調整して太陽光利用パネル７を掛止させることができる。
【００４３】
軌道部材５ｂの形状は、鉤部材５ａと未締結状態の締結部材５ｃを摺動させる際に、その移動方向を規制できる形状であれば特に限定されないが、図示した例では、下部板と、間隔保持壁を介して前記下部板に固着された上部板からなり、上部板には後述の締結部材５ｃとして使用するボルトの軸が挿通可能であり、ボルトの頭及びナットが挿通不能な幅のスリットが設けられ、下部板と上部板の間は少なくとも前記ボルトの頭が挿通可能な空間が形成されている形状のものが使用されている。また、下部板には前記設置用ブロック１Ａの小孔３ｃと連通する固定孔５ｄが穿設されている。
なお、図示した例では、軌道部材に固定孔５ｄが３個穿設されているのに対し、設置用ブロック１Ａの上側固定部３ａに設けられている小孔３ｃは５個であり、太陽光利用パネル７の大きさに合わせて適当な小孔３ｃを選んで軌道部材５ｂを固定するようになっている。
即ち、図１１に図７に示した断熱材層６を設けた設置用ブロック１Ａを用いて示したように、比較的小さな太陽光利用パネル７を設置する場合は上側固定部３ａの前端付近に軌道部材５ｂを固定すればよいし（図１１（ａ））、比較的大きな太陽光利用パネル７を設置する場合は上側固定部３ａの後端付近に軌道部材５ｂを固定すればよい（図１１（ｂ））。このようにすれば、上記の鉤部材５ａの摺動と合わせて、さまざまな大きさの太陽光利用パネル７に対応することができる。
【００４４】
締結部材５ｃは、必要に応じて緊締し上記鉤部材５ａを軌道部材５ｂ上に固定するとともに、太陽光利用パネル７を掛止し、さらに別の必要に応じて緩めて鉤部材５ａを摺動可能にするための手段である。
締結部材５ｃの形状は、鉤部材５ａと軌道部材５ｂの上部板を共に緊締できる形状であれば特に限定されないが、図示した例においては、ボルト、ナット、座金の組み合せを締結部材として使用し、ボルトの頭を軌道部材５ｂの下部板と上部板の間に挿入して、軸の部分を軌道部材５ｂのスリット及び鉤部材５ａの平板部中央に穿設された孔に挿入し、座金を介してナットで締め付けるようにされている。
【００４５】
上記のような設置用ブロック１Ａを用いて太陽光利用パネル７を設置するには、まず、図１２に示したように、スラブＳ等の上にブロックを敷設する際に、通常ブロックＯの中に適当な間隔で本発明の設置用ブロック１Ａを配置する。なお、本発明の設置用ブロック１Ａを使用する間隔はブロック１Ａの大きさと太陽光利用パネルの大きさによって異なるが、図１２には太陽光利用パネルの長さが設置用ブロックの約２倍、幅が設置用ブロックの約３倍である場合の設置用ブロックの配置が記載されている。
【００４６】
次に、例えば図１２に破線で示すように太陽光利用パネル７を配置し、一の設置用ブロック１Ａの下側固定部３ｂに後側の太陽光利用パネル７の下部枠７ｂを固定するとともに、同設置用ブロック１Ａの上側固定部３ａに前側の太陽光利用パネル７の上部枠７ａを固定し、後側の太陽光利用パネル７の上部枠７ａ及び前側の太陽光利用パネル７の下部枠７ｂについては他の設置用ブロック１Ａを用いて固定すればよい。即ち、前後に配列された設置用ブロック１Ａの間に太陽光利用パネル７を設置する構造にすれば、太陽光利用パネルを適切な角度に傾斜させた太陽光利用パネルの設置構造１Ｂが形成される。
なお、最前の太陽光利用パネルの下部枠７ｂ及び最後尾の太陽光利用パネルの上部枠７ａについては、本発明の設置用ブロック１Ａの上側／下側固定部３ａ、３ｂの一方だけを用いてもよいし、別途、端部用の設置用ブロックを用いてもよい。
【００４７】
太陽光利用パネル７の固定は、少なくとも上部枠７ａ側及び下部枠７ｂ側でそれぞれ一箇所づつ固定すれば足りるが、図１２に示したように太陽光利用パネル７の４隅付近を設置用ブロック１Ａに固定できるように配置すれば、太陽光利用パネル７を安定的に設置することができる。なお、必要に応じ、上記よりも多くの設置用ブロック１Ａに固定してもよい。
【００４８】
なお、太陽光利用パネル７の傾斜角を４〜２５°程度とすれば、雨水や埃等が斜面に沿って流下又は落下するため、太陽光を効率よく受光することができるとともに、メンテナンスの手間が激減するため好ましい。そのためには、本発明の設置用ブロック１Ａにおける上側固定部３ａと下側固定部３ｂの高度差（固定具５を用いる場合は、固定具５を装着した状態での高度差）を、太陽光利用パネルのサイズを勘案して定めればよい。例えば、使用する太陽光利用パネル７の長さがＬのとき、上側固定部３ａと下側固定部３ｂの高度差をＬ×Ｓｉｎ４°乃至Ｌ×Ｓｉｎ２５°（太陽光利用パネル５の長さが９０ｃｍのとき高度差は約６．３〜３８ｃｍ）にすればよい。
【００４９】
本発明による太陽光利用パネルの設置構造１Ｂを風が強い場所に設置する場合は、太陽光利用パネル７の下に風が入り込み、この太陽光利用パネル７が吹き飛ばされる危険がある。従って、風が強い場所に太陽光利用パネルの設置構造１Ｂを設ける場合には、側面又は後方から風が入り込まないようにしておくほうが好ましい。
側面からの風を防ぐには、図１３、図１４に示すように、太陽光利用パネル７の側面に防風板８を設けるのが好ましい。防風板８の形状は太陽光利用パネル７の下への風を妨げる形状であれば特に限定されないが、太陽光利用パネル７の下の空間のみならず、上側／下側固定部３ａ、３ｂの下の空間も塞げれば更に好ましい。なお、太陽光利用パネル７に積もった埃等を吹き飛ばすことが出来るよう、防風板８は太陽光利用パネル７の上側にはみ出さないようにするほうがよい。
【産業上の利用可能性】
【００５０】
上記したとおり、本発明の太陽光利用パネルの設置用ブロック、設置構造は、部品点数が少なく、長尺物を使用する必要がないので、施工が容易であるとともに、保管や運搬が容易で、また取り扱い性も良好であり、更に、スラブ等にボルト等で固定する必要がないので雨漏りの心配もなく、極めて有用性の高いものである。
【符号の説明】
【００５１】
１Ａ  設置用ブロック
１Ｂ  設置構造
２    平板部
２ａ  切欠き部
２ｂ  孔
３ａ  上側固定部
３ｂ  下側固定部
３ｃ  小孔
４ａ  立上げ部
４ｂ  第１斜降部
４ｃ  第２斜降部
５  固定具
５ａ  鉤部材
５ｂ  軌道部材
５ｃ  締結部材
５ｄ  固定孔
５ｅ  平板状部
６  断熱材層
７  太陽光利用パネル
７ａ  上部枠
７ｂ  下部枠
７ｃ  係合突起
８  防風板
Ｓ  スラブ
Ｃ  連結具
Ｃ１  支柱部材
Ｃ２  支持部材
Ｃ３  押さえ部材
Ｏ  通常のブロック
【図１】
2012001991.tif 000003
【図２】
2012001991.tif 000004
【図３】
2012001991.tif 000005
【図４】
2012001991.tif 000006
【図５】
2012001991.tif 000007
【図６】
2012001991.tif 000008
【図７】
2012001991.tif 000009
【図８】
2012001991.tif 000010
【図９】
2012001991.tif 000011
【図１０】
2012001991.tif 000012
【図１１】
2012001991.tif 000013
【図１２】
2012001991.tif 000014
【図１３】
2012001991.tif 000015
【図１４】
2012001991.tif 000016